(57)【要約】【課題】上下の瞼を容易に見開いた状態に維持し、かつ、安全に瞳にコンタクトレンズを装着することのできるコンタクト装着器を提供すること。【解決手段】上指置き部６と下指置き部７に、それぞれ人差し指と親指を置き、コンタクト装着器１を狭める方向に動かす。上瞼固定部２が上瞼に、下瞼固定部３が下瞼に当たるよにコンタクト装着器１を顔に近づけ、上瞼固定部２が上瞼に、下瞼固定部３が下瞼に接触したことを確認した後に、人差し指と親指で挟む力を緩め、瞳を見開いた状態にする。そして、取付部１０の後部を中指でゆっくりと押し、コンタクトレンズ保持部９に保持したコンタクトレンズ１２を瞳に装着する。【選択図】図２
2013145320.tif 000002
【特許請求の範囲】
【請求項１】
上腕部と、
下腕部と、
前記上腕部と下腕部とを連結する連結部と、
前記連結部とは反対側の前記上腕部の端部に設けられた上瞼固定部と、
前記連結部とは反対側の前記下腕部の端部に設けられた下瞼固定部と、
前記上瞼固定部または下瞼固定部に回動自在に取り付けられた取付部と、
前記取付部に取り付けられた弾性部材で形成されたコンタクトレンズ保持部と、
前記上腕部と下腕部とを、前記連結部を中心にして開く方向に付勢する付勢部材と、
を備えたことを特徴とするコンタクト装着器。
【請求項２】
前記上腕部、前記下腕部、前記連結部、前記上瞼固定部、および、前記下瞼固定部は、可撓性のある部材より一体に形成されており、前記連結部がバネ状に形成されて前記付勢部材を兼ねていることを特徴とする請求項１に記載のコンタクト装着器。
【請求項３】
コンタクトレンズ保持部は、シリコンゴムにより形成されており、前記上瞼固定部および前記下瞼固定部には、シリコンゴムが取り付けられていることを特徴とする請求項１または請求項２に記載のコンタクト装着器。
【請求項４】
前記上腕部は、前記下腕部に対して、取付軸を中心に回動自在に取り付けられており、前記上瞼固定部が設けられる前記上腕部の端部とは、取付軸を中心として逆側に位置する端部には、前記取付部が、前記上腕部に対して回動自在に取り付けられいることを特徴とする請求項１ないし請求項３のいずれか一に記載のコンタクト装着器。
【発明の詳細な説明】
【技術分野】
【０００１】
本発明は、コンタクトレンズを瞳に装着するコンタクト装着器に関する。
【背景技術】
【０００２】
従来、コンタクトレンズを装着する際は、片手で瞼を上下に動かして瞳を見開かせ、もう片方の手の指先にコンタクトレンズを載せ、瞳に装着していた。
【０００３】
しかしながら、このような従来の方法では、コンタクトレンズを載せた指以外の指を、瞳の見開きの補助としてあてがうが、このような状態を保ってコンタクトレンズを装着するのは容易ではない。
【０００４】
そこで、このような従来のコンタクトレンズの装着方法の問題点を解決するため、スティック状のコンタクト装着器具が提案されている（特許文献1）。
【先行技術文献】
【特許文献】
【０００５】
【特許文献１】特開２００１−２９９８０２号公報
【発明の概要】
【発明が解決しようとする課題】
【０００６】
しかしながら、特許文献１の器具を用いてコンタクトレンズを装着するには、予め片手もしくは両手で瞼を上下させて瞳を見開かせておき、瞬きを抑えながらコンタクトレンズを装着する必要があるが、片手もしくは両手で瞼を上下させて瞳を見開かせた状態を継続し、瞬きを抑えるのは容易ではない。
【０００７】
本発明は、上述した事情に鑑みてなされたものであり、容易かつ安全にコンタクトレンズを装着することのできるコンタクト装着器を提供することを解決課題とする。
【課題を解決するための手段】
【０００８】
以上の課題を解決するため、本発明に係るコンタクト装着器は、上腕部と、下腕部と、前記上腕部と下腕部とを連結する連結部と、前記連結部とは反対側の前記上腕部の端部に設けられた上瞼固定部と、前記連結部とは反対側の前記下腕部の端部に設けられた下瞼固定部と、前記上瞼固定部または下瞼固定部に回動自在に取り付けられた取付部と、前記取付部に取り付けられた弾性部材で形成されたコンタクトレンズ保持部と、前記上腕部と下腕部とを、前記連結部を中心にして開く方向に付勢する付勢部材とを備えたことを特徴とする。
【０００９】
本発明によれば、前記上腕部と下腕部は、連結部を介して、付勢部材により開く方向に付勢されている。従って、前記上腕部と下腕部とを、例えば人差し指と親指で持ち、狭まる方向に力を加え、前記連結部とは反対側の前記上腕部の端部に設けられた上瞼固定部が上瞼に、また、前記連結部とは反対側の前記下腕部の端部に設けられた下瞼固定部が下瞼に接触するように、コンタクト装着器を顔に近づける。そして、上瞼固定部が上瞼に、また、下瞼固定部が下瞼に接触したことを確認した後に、人差し指と親指の力を調節し、上腕部と下腕部が広がるようにする。その結果、上瞼と下瞼は上下に移動し、瞳が見開かれた状態が維持される。この状態で、コンタクトレンズを保持したコンタクトレンズ保持部を、取付部を動かすことによって、瞳に近づけ、コンタクトレンズを瞳に装着する。
【００１０】
また、本発明に係るコンタクト装着器は、前記上腕部、前記下腕部、前記連結部、前記上瞼固定部、および、前記下瞼固定部は、可撓性のある部材より一体に形成し、前記連結部をバネ状に形成して前記付勢部材を兼ねるようにしてもよい。
【００１１】
さらに、本発明に係るコンタクト装着器は、コンタクトレンズ保持部を、シリコンゴムにより形成し、前記上瞼固定部および前記下瞼固定部にシリコンゴムを取り付けるようにしてもよい。
【００１２】
また、本発明に係るコンタクト装着器は、前記上腕部を、前記下腕部に対して、取付軸を中心に回動自在に取り付け、前記上瞼固定部が設けられる前記上腕部の端部とは、取付軸を中心として逆側に位置する端部に、前記取付部を、前記上腕部に対して回動自在に取り付けられるようにしてもよい。このようにすれば、前記上腕部と前記下腕部とを狭める方向に動かすと、前記取付部が退避する方向に動き、前記上腕部と前記下腕部とを広げる方向に動かすと、前記取付部が瞳に近づく方向に動く。
【図面の簡単な説明】
【００１３】
【図１】本発明の第１実施形態に係るコンタクト装着器の構成を示す斜視図である。
【図２】第１実施形態に係るコンタクト装着器を用いてコンタクトレンズを装着する方法を示す図である。
【図３】本発明の第２実施形態に係るコンタクト装着器の構成を示す斜視図である。
【図４】本発明の第２実施形態に係るコンタクト装着器の構成を示す側面図である。
【図５】本発明の第３実施形態に係るコンタクト装着器の構成を示す斜視図である。
【図６】本発明の第３実施形態に係るコンタクト装着器を装着前の準備として閉じた状態を示す斜視図である。
【発明を実施するための形態】
【００１４】
以下、この発明の好適な実施の形態を、添付図面等を参照しながら詳細に説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
［第１実施形態］
図１は、本発明の第１実施形態に係るコンタクト装着器を示す斜視図である。図１に示すように、本実施形態のコンタクト装着器１は、上瞼固定部２と、下瞼固定部３と、上腕部４と、下腕部５と、上指置き部６と、下指置き部７と、上腕部４および下腕部５を連結する連結部８と、コンタクトレンズ保持部９と、コンタクトレンズ保持部９を上腕部４に取り付ける取付部１０とを備えている。
【００１６】
上瞼固定部２、下瞼固定部３、上腕部４、下腕部５、上指置き部６、下指置き部７、および、連結部８は、例えば、針金、プラスチック、ゴム、木材などの可撓性のある部材により一体に形成されている。
【００１７】
これらの各部を備えたコンタクト装着器１は、側面視において略Ｕ字形状を有している。連結部８はコイルバネ状に形成されており、上指置き部６および下指置き部７に指を置いて図１に示す矢印Ａ方向に力を加えることにより、連結部８を中心にして、上瞼固定部２と下瞼固定部３との間隔が狭くなるように可動する。また、矢印Ａ方向に加えた力を弱めることにより、図１に示す矢印Ｂ方向に、つまり、上瞼固定部２と下瞼固定部３との間隔が広くなるように可動する。
【００１８】
上瞼固定部２および下瞼固定部３は、瞼に合わせたカーブ形状に形成されており、瞼に接触する部分には、シリコンゴムなどのチューブ１１が被せられている。
【００１９】
コンタクトレンズ保持部９と、取付部１０は、シリコンゴムなどの粘着性と弾性のある部材で形成されている。コンタクトレンズ保持部９は、例えば、取付部１０に差し込むように取り付けてもよいし、コンタクトレンズ保持部９と取付部１０とを一体に形成してもよい。
【００２０】
取付部１０の一端１０ａは、例えば、半円環状に形成されており、上瞼固定部２にこの一端１０ａを嵌め込むことにり、図１に示す矢印Ｃ方向に回動可能になっている。
コンタクトレンズ保持部９は、シリコンゴムなどの粘着性により、コンタクトレンズを保持するようになっている。
【００２１】
次に、図２を用いて、本実施形態のコンタクト装着器１の使用方法について説明する。
まず、コンタクトレンズ保持部９にコンタクトレンズ１２を取り付け、取付部１０を連結部８に近づく方向に退避させておく。
【００２２】
そして、上指置き部６に中指を、また、下指置き部７に親指を置いて、上瞼固定部２と下瞼固定部３の間隔が狭くなるように力を加え、上瞼固定部２が自分の上瞼に接触し、下瞼固定部３が自分の下瞼に接触するように間隔を調節しながら、コンタクト装着器１全体を自分の顔に近づける。
【００２３】
上瞼固定部２が自分の上瞼に接触し、下瞼固定部３が自分の下瞼に接触したことを確認した後、上瞼固定部２と下瞼固定部３の間隔が徐々に広くなるように、上指置き部６の人差し指と、下指置き部７の親指の力を調節する。
その結果、上瞼と下瞼は、コンタクト装着器１の弾性力によって、それぞれ上方向と下方向に動き、瞳を見開かせた状態を維持する。
【００２４】
この状態で、例えば、人差し指などで、取付部１０の後部をゆっくりと押し、コンタクトレンズ保持部９上のコンタクトレンズ１２を瞳に近付ける。なお、コンタクトレンズ１２と瞳の位置がずれている場合には、コンタクト装着器１全体を移動させて調節する。
【００２５】
このようにして、本実施形態のコンタクト装着器１によれば、片手で簡単に瞳を見開かせた状態を維持しながら、コンタクトレンズ保持部９と取付部１０の弾性により、瞳を傷付けることなく安全にコンタクトレンズの装着が可能になる。
【００２６】
なお、本実施形態のコンタクト装着器１は、あくまでも本発明の一例であり、各部の形状および構成は、図１および図２に示したものに限定されるものではない。
［第２実施形態］
【００２７】
次に、本発明の第２実施形態に係るコンタクト装着器１’を図３および図４に基づいて説明する。
図３は、本発明の第２実施形態に係るコンタクト装着器１’を示す斜視図である。図４は、本発明の第２実施形態に係るコンタクト装着器１’を示す側面図である。
図４に示すように、本実施形態のコンタクト装着器１’は、側面視は第１実施形態のコンタクト装着器１と同様に略Ｕ字形状を有しているが、図３に示すように左右に幅を持った形状に構成されている。
【００２８】
図３に示すように、本実施形態のコンタクト装着器１’は、上瞼固定部２’と、下瞼固定部３’と、右腕部１４と、左腕部１５と、コンタクトレンズ保持部９’と、コンタクトレンズ保持部９’を下瞼固定部３’の下部に取り付ける取付部１０’と、取付部１０’に連結された押出部１３とを備えている。
下瞼固定部３’は、二股に分かれており、２点で下瞼を押さえることができるので、効果的に下瞼を下方向に移動させることができる。
【００２９】
コンタクトレンズ保持部９’を除く各部は、例えば、針金、プラスチック、ゴム、木材などの可撓性のある部材により一体に形成されている。また、コンタクトレンズ保持部９’は、シリコンゴムなどの粘着性と弾性のある部材で形成されている。コンタクトレンズ保持部９’は、例えば、後端部が円環状に形成されており、取付部１０’に差し込むようにして取り付けられている。
【００３０】
コンタクト装着器１’は、針金などの可撓性のある部材により一体に形成されているため、図４に示すように、力を加えることによって、矢印Ｄ方向、即ち、上瞼固定部２’と下瞼固定部３’の間隔が狭まる方向に可動し、力を緩めることにより、矢印Ｅ方向、即ち、上瞼固定部２’と下瞼固定部３’の間隔が広がる方向に可動する。
【００３１】
次に、本実施形態のコンタクト装着器１’の使用方法について説明する。
まず、コンタクトレンズ保持部９’にコンタクトレンズを取り付ける。そして、上瞼固定部２’と下瞼固定部３’、または、これらの近傍の右腕部１４（あるいは左腕部１５）を、それぞれ人差し指と親指で挟み、上瞼固定部２’と下瞼固定部３’の間隔が狭くなるように力を加え、上瞼固定部２’が自分の上瞼に接触し、下瞼固定部３’が自分の下瞼に接触するように間隔を調節しながら、コンタクト装着器１’全体を自分の顔に近づける。
【００３２】
上瞼固定部２’が自分の上瞼に接触し、下瞼固定部３’が自分の下瞼に接触したことを確認した後、上瞼固定部２’と下瞼固定部３’の間隔が徐々に広くなるように、上瞼固定部２’と下瞼固定部３’、または、これらの近傍の右腕部１４（あるいは左腕部１５）に加えた人差し指と親指の力を調節する。
その結果、上瞼と下瞼は、コンタクト装着器１’の弾性力によって、それぞれ上方向と下方向に動き、瞳を見開かせた状態を維持する。
【００３３】
この状態で、例えば、薬指などで、押出部１３の後部をゆっくりと押し、コンタクトレンズ保持部９’上のコンタクトレンズを瞳に近付ける。なお、コンタクトレンズと瞳の位置がずれている場合には、コンタクト装着器１’全体を移動させて調節する。
【００３４】
このようにして、本実施形態のコンタクト装着器１’によれば、片手で簡単に瞳を見開かせた状態を維持しながら、コンタクトレンズ保持部９’の弾性により、瞳を傷付けることなく安全にコンタクトレンズの装着が可能になる。
【００３５】
なお、上瞼固定部２’と下瞼固定部３’の瞼と接触する部分には、第１実施形態のように、シリコンゴムなどのチューブを取り付けるようにして良い。
また、コンタクト装着器１’は両手で操作するようにしてもよい。さらに、押出部１３と取付部１０’は、別々に設けるのではなく、共通にして一つの部材としてもよい。
さらに、右腕部１４と左腕部１５の中間部分２０を連結部として、第１実施形態のようにバネ状に形成してもよい。
本実施形態のコンタクト装着器１'は、あくまでも本発明の一例であり、各部の形状および構成は、図３および図４に示したものに限定されるものではない。
【００３６】
［第３実施形態］
次に、本発明の第３実施形態に係るコンタクト装着器１”を図５および図６に基づいて説明する。
図５は、本発明の第３実施形態に係るコンタクト装着器１”に力を加えていない状態を示す斜視図である。図６は、本発明の第３実施形態に係るコンタクト装着器１”に力を加えて狭めた状態を示す斜視図である。
【００３７】
図５に示すように、本実施形態のコンタクト装着器１”は、上瞼固定部２”と、下瞼固定部３”、上腕部４'と、下腕部５’と、コンタクトレンズ保持部９”と、コンタクトレンズ保持部９”を上腕部４'の根元部分に取り付ける取付部１０”と、上腕部４'と下腕部５’を開く方向に付勢するバネ１６と、上腕部４'と下腕部５’とを連結する連結部１７とを備えている。
上瞼固定部２”と、下瞼固定部３”は、シリコンゴムなどの弾性のある部材で形成されたチューブ１１が被せられている。
【００３８】
コンタクトレンズ保持部９”を除く各部は、例えば、アルミニウムやプラスチックなどの部材により形成されている。また、コンタクトレンズ保持部９”は、シリコンゴムなどの粘着性と弾性のある部材で形成されている。コンタクトレンズ保持部９”は、例えば、後端部が円環状に形成されており、取付部１０”に差し込むようにして取り付けられている。
【００３９】
コンタクト装着器１’は、下腕部５’に取り付けられた連結部１７が、取付軸１８によって上腕部４'に回動自在に取り付けてられている。そして、上腕部４'と下腕部５’は、バネ１６によって広がる方向に付勢されている。
【００４０】
さらに、取付部１０”の後端部は、取付軸１９により、上腕部４'の根元部分に回動自在に取り付けてられている。従って、図６のように、上腕部４'と下腕部５’を狭めるように動かすことにより、この取付部１０”は、矢印Ｆ方向、即ち、退避する方向に移動する。また、上腕部４'と下腕部５’を広めるように力を緩めることにより、この取付部１０”は、矢印Ｇ方向、即ち、瞳に近づく方向に移動する。
【００４１】
次に、本実施形態のコンタクト装着器１”の使用方法について説明する。
まず、コンタクトレンズ保持部９”にコンタクトレンズを取り付ける。そして、上腕部４’と下腕部５’を、それぞれ人差し指と親指で挟み、上瞼固定部２”と下瞼固定部３”の間隔が狭くなるように力を加え、上瞼固定部２”が自分の上瞼に接触し、下瞼固定部３”が自分の下瞼に接触するように間隔を調節しながら、コンタクト装着器１”全体を自分の顔に近づける。
この時、この取付部１０”は、矢印Ｆ方向、即ち、退避する方向に移動している。
【００４２】
上瞼固定部２”が自分の上瞼に接触し、下瞼固定部３”が自分の下瞼に接触したことを確認した後、上瞼固定部２”と下瞼固定部３”の間隔が徐々に広くなるように、上腕部４’と下腕部５’に加えた人差し指と親指の力を調節する。
その結果、上瞼と下瞼は、バネ１６の付勢力によって、それぞれ上方向と下方向に動き、瞳を見開かせた状態を維持する。
【００４３】
また同時に、取付部１０”は、矢印Ｇ方向、即ち、瞳に近づく方向に移動する。従って、コンタクトレンズ保持部９”上のコンタクトレンズも瞳に近づくことになる。なお、コンタクトレンズと瞳の位置がずれている場合には、コンタクト装着器１”全体を移動させて調節する。
【００４４】
このようにして、本実施形態のコンタクト装着器１”によれば、片手で簡単に瞳を見開かせた状態を維持しながら、コンタクトレンズ保持部９”の弾性により、瞳を傷付けることなく安全にコンタクトレンズの装着が可能になる。
【００４５】
本実施形態のコンタクト装着器１”は、あくまでも本発明の一例であり、各部の形状および構成は、図５および図６に示したものに限定されるものではない。
【００４６】
上述した実施形態においては、コンタクト装着器自体を可撓性のある部材で形成する例と、バネを取り付ける例について説明した。しかし、組み合わせは自由であり、第１実施形態または第２実施形態においてバネを取り付けるようにしてよいし、第３実施形態のコンタクト装着器自体を可撓性のある部材で形成するようにしてもよい。
【００４７】
また、上述した実施形態においては、各腕部と各瞼固定部を一体に形成する例について説明したが、これらは別体に形成して取り付けるようにしてもよい。
【符号の説明】
【００４８】
１，１’，１”…コンタクト装着器、２，２’，２”…上瞼固定部、３，３’，３”…下瞼固定部、４，４’…上腕部、５，５’…下腕部、６…上指置き部、７…下指置き部、８…連結部、９，９’，９”…コンタクトレンズ保持部、１０，１０’…取付部、１１…チューブ、１２…コンタクトレンズ、１３…押出部、１４…右腕部、１５…左腕部、１６…バネ、１７…連結部、１８…取付軸、１９…取付軸。
【図１】
2013145320.tif 000003
【図２】
2013145320.tif 000004
【図３】
2013145320.tif 000005
【図４】
2013145320.tif 000006
【図５】
2013145320.tif 000007
【図６】
2013145320.tif 000008